(57)【要約】      （修正有）【課題】光束立上り特性が良好でかつ、点灯方向が変化した場合でも、確実に最冷部を形成可能で、鉛直面における光束を低減させることなく、配光特性を改善する蛍光ランプ、電球形蛍光ランプおよび照明器具を提供する。【解決手段】各端部が同方向である直線部および屈曲部を有する複数本の屈曲型バルブを１本の放電路が形成されるように直線部のバルブ端部近傍同士を連結管で連結した発光管において、直線部のうち少なくとも一つには、カバー部に最冷部が形成されるよう非放電空間を大きく形成する。【選択図】図１
2004335130.tif 000002
【特許請求の範囲】
【請求項１】
各端部が同方向である直線部および屈曲部を有する複数本の屈曲形バルブを１本の放電路が形成されるように直線部のバルブ端部近傍同士を連結管により連結し、バルブ端部が同方向となるように形成された発光管と；
発光管内に放電を生起可能なように設けられた電極手段と；
一端側に発光管のバルブ端部側が取り付けられ、他端側にはソケットへの電気接続部を有するカバー体と；
を具備しており、連結管で連結された直線部のうちの少なくとも一には、カバー側に最冷部が形成されるよう非放電空間を大きく形成していることを特徴とする蛍光ランプ。
【請求項２】
前記発光管の放電路長が４００ｍｍ以上であり、ランプ電力は３０Ｗ以上であることを特徴とする請求項１記載の蛍光ランプ。
【請求項３】
連結管のうちカバー側に位置する少なくとも一の連結管から発光管のカバー側端部までの距離（ｍｍ）をＨとしたとき、ランプ電力が３０〜８０Ｗであれば、
ランプ電力×０．７≦Ｈ≦ランプ電力×０．８
８０Ｗ以上であれば
ランプ電力×０．４≦Ｈ≦ランプ電力×０．７
であることを特徴とする請求項１または２記載の蛍光ランプ。
【請求項４】
カバー体の電気接続部がねじ込み式の口金である請求項１ないし３いずれか一記載の蛍光ランプと；
蛍光ランプを点灯させる点灯回路を構成する複数の電子部品および、この電子部品が両面に実装された回路基板を有し、カバー体内に収容された点灯装置と；
を具備していることを特徴とする電球形蛍光ランプ。
【請求項５】
請求項１ないし４いずれか一記載の蛍光ランプまたは電球形蛍光ランプと；
このランプが装着された器具本体と；
を具備していることを特徴とする照明器具。
【発明の詳細な説明】
【０００１】
【発明の属する技術分野】
本発明は、複数の屈曲バルブを連結してなる蛍光ランプ、電球形蛍光ランプおよび照明器具に関する。
【０００２】
【従来の技術】
一般に蛍光ランプは、水銀蒸気圧との関係から、最冷部温度が４０℃から６０℃のときに発光効率が最大となる特性を有している。そして、点灯による温度上昇分を差し引いた２５℃近辺が周囲温度としては、最適となる。しかし、放電路を折り曲げたり、複数の屈曲バルブを連結するなどして構成された管壁負荷が大きい蛍光ランプなどは点灯中にランプが高温になりやすい。
【０００３】
このため、発光管の細管内に水銀蒸気圧制御用のアマルガムを配置することによって、点灯中の水銀蒸気圧を適正な範囲内に制御している。
【０００４】
しかしながら、このようにアマルガムを使用した蛍光ランプは、点灯開始から所定の光束が出力されるまでの時間が長く、いわゆる光束立上り特性が悪いという欠点がある。これは、点灯開始直後の発光管が室温程度の低温状態に近い期間は、管内の水銀蒸気圧がアマルガムに制御されてなかなか上昇しないためである。これは、点灯開始から数秒から数十秒かけて発光管の温度が上昇するに従って水銀蒸気圧が上昇し、徐々に明るくなる。
【０００５】
この光束立上り特性を改善する方法として、水銀蒸気圧を制御するアマルガムを使用することなく、発光管の一部に最冷部を設けることが知られている。
【０００６】
その一つは、ランプの両側に封装された一対の電極のうち、一方に比べ他方側の電極は、バルブ端部からフィラメント電極までの距離を大きく離間させ、他方のバルブ端部に最冷部を形成する方法（例えば、特許文献１）である。その他には、一端側に電極が封装された一対の直管バルブの他端側すなわち、バルブ先端に大きな非放電空間を形成することによって最冷部を設ける方法（例えば、特許文献２）が知られている。このように、最冷部を積極的に形成することで、水銀蒸気圧が純水銀のそれに近い水銀媒体の封入が可能となり、光束立上り特性が改善される。
【０００７】
【特許文献１】
特開２０００−１７３５３７号公報
【０００８】
【特許文献２】
特開２００１−１６７７３４号公報
【０００９】
【発明が解決しようとする課題】
しかし、特許文献１のように、バルブ端部からフィラメント電極までの距離を大きくしてバルブ端部に最冷部を形成した蛍光ランプであっても、バルブ端部側を上側にして点灯すると、点灯とともに蛍光ランプの温度が上昇する。したがって、フィラメント電極の上側に位置する最冷部予定空間も、点灯とともに温度上昇する電極の熱影響を受けて温度上昇するため、最冷部を確保することが困難となり、点灯が不安定となるおそれがある。
【００１０】
次に、特許文献２の蛍光ランプは、バルブ端部側を上側にして点灯しても、下側に位置した最冷部は、点灯中高温となる発光管および電極の熱影響を受けずに、管内の蒸気圧を制御しているので、安定点灯する。バルブ端部側を下側にして点灯しても、最冷部はフィラメント電極と大きく隔てているので、比較的最冷部を確保しやすい。しかし、バルブ端部側を上側にして点灯した場合、最冷部すなわち、非放電空間が下側に位置しているため、鉛直面における光束が低下するという問題が生じる。
【００１１】
本発明は、上記課題を解決するためになされたものであり、光束立上り特性が良好でかつ、点灯方向が変化した場合であっても、確実に最冷部を形成可能で、鉛直面における光束を低減させることなく、配光特性を改善する蛍光ランプ、電球形蛍光ランプおよび照明器具を提供することを目的とする。
【００１２】
【課題を解決するための手段】
請求項１記載の蛍光ランプは、各端部が同方向である直線部および屈曲部を有する複数本の屈曲形バルブを１本の放電路が形成されるように直線部のバルブ端部近傍同士を連結管により連結し、バルブ端部が同方向となるように形成された発光管と；発光管内に放電を生起可能なように設けられた電極手段と；一端側に発光管のバルブ端部側が取り付けられ、他端側にソケットへの電気接続部を有するカバー体と；を具備しており、連結管で連結された直線部のうちの少なくとも一には、カバー体側に最冷部が形成されるよう非放電空間を大きく形成していることを特徴とするものである。
【００１３】
連結管で連結された直線部のうち少なくとも一に最冷部を形成しているとは、最冷部を積極的に形成するようにバルブ端部から連結管までの非放電空間を他の非放電空間よりも大きく形成していることを意味する。
【００１４】
このような構成により、点灯中高温となるような蛍光ランプを、口金上側および下側点灯しても、点灯中の鉛直下面における配光特性を大きく低減することを抑制できる。さらに、点灯中の熱影響を比較的受けにくいすなわち、点灯中高温となる電極端部を除くカバー体側に位置する少なくとも一のバルブ端部の非放電空間を大きく形成することにより、最冷部を確実に形成することが可能となるので、点灯中の管内の蒸気圧を制御するアマルガムを使用することがなくなり、光束立上がり特性が改善される。ここでいう光束立上りとは、点灯開始後一旦光束が上昇するものの、その後の温度上昇に伴い水銀蒸気圧も上昇しつづけ、光束が低下するという一時的な光束の上昇を意味せず、短時間に安定的な光束の立上りを示すものをいう。
【００１５】
なお、カバー体側に位置するバルブ端部から連結管までの間に最冷部を積極的に形成するのに好適な構造としては、例えば、２本の直管バルブをＨ字状に形成した２本のＨ字状屈曲バルブを連結した発光管を円周方向に並設した蛍光ランプであれば、４本の直管バルブの電極が封装されていない直管バルブ同士を連結させる際に、バルブ端部からバルブ屈曲側すなわち先端方向に寄せて連結部を形成することで、非放電空間を大きくでき、積極的に最冷部を形成できる。また、４本のＵ字状屈曲バルブを連結し、屈曲バルブの屈曲部を同方向に配置した蛍光ランプであれば、電極が封装されたバルブに挟まれた２本のバルブを連結する連結管を他の連結管よりも先端屈曲部寄りに形成することで、積極的に最冷部を形成することが可能となり、鉛直下方向における光束を低下することを抑制できる。すなわち、カバー体側に位置するバルブ端部のうち少なくとも一の連結管を屈曲側に寄せて非放電空間を大きく形成することで、最冷部により最適に水銀蒸気圧を制御することが可能となり、安定時のランプ効率および鉛直面の配光特性が良好となる。
【００１６】
なお、カバー体側に位置するバルブ端部の少なくとも一の連結管を屈曲側に寄せて非放電空間を大きく形成することで、確実に最冷部を形成することができる。しかし、非放電空間が大きくなるにしたがい、点灯中のランプ外観を阻害するとともに、同時に光束が減少するおそれがあるため、バルブ端部からの離間距離は、バルブ形状、ランプ入力電力などにより十分検討する必要がある。
【００１７】
発光管は、管内に形成された蛍光体膜が放射する紫外線または発光管内に形成された蛍光体膜が照射する可視光を透過可能であれば、材質、形状および寸法は限定されない。一般的には対環境、経済性及び加工性などの理由からソーダライムガラスが使用されることが多い。
【００１８】
発光管を構成する屈曲バルブの屈曲部は、Ｈ字状、Ｕ字状、コ字状などに形成されており、複数個の屈曲バルブの屈曲部を同方向に配置しても、円周上に屈曲部を等配するなどしてもバルブの配置や形状、構造などは特に限定されない。また、屈曲部のバルブ断面形状は、円径、楕円径、涙滴形、三角形など、任意の形状でよい。
【００１９】
電極は、通常フィラメントコイルを備えた熱陰極が使用されるが、本発明は冷陰極、電子放射物質を有するセラミック電極などでも構わない。
【００２０】
本発明請求項１記載の蛍光ランプによれば、連結管で連結された直線部のうちの少なくとも一の連結管を形成する際、カバー体側バルブ端部と連結管を離間し、非放電空間を大きく形成しているので、点灯方向に限定されることなく確実に最冷部を形成することができる。したがって、点灯中最冷部により水銀蒸気圧を最適に制御することが可能となり、安定時のランプ効率および鉛直下面の配光特性が良好となる。
【００２１】
請求項２記載の蛍光ランプは、請求項１記載の蛍光ランプの発光管の放電路長が４００ｍｍ以上であり、ランプ電力は３０Ｗ以上であることを特徴とする。
【００２２】
放電路長が４００ｍｍ以下である蛍光ランプは、点灯中のランプの温度はそれほど上昇することが少なく、比較的蒸気圧の高い水銀媒体の封入が可能であるため、積極的に最冷部を形成する必要はない。一方、放電路長が極端に大きくなりすぎると始動電圧を高める必要がある。始動電圧を高めるとともに点灯中のランプは高温となるため、最冷部を形成することが困難となるなどの問題がある。さらには、放電路長が４００ｍｍ以上になると、水銀の拡散不足による点灯初期の光束立上り特性が悪化するおそれがあるため、放電路長は６００〜８００ｍｍの範囲であることが好ましい。
【００２３】
ランプ電力が３０Ｗ以上であると、例えば、全光束２０００ｌｍ以上の高出力タイプの蛍光ランプを構成可能である。しかし、ランプ電力が１２０Ｗを超えると、蛍光ランプからの熱量が大きくなり、非放電空間を十分確保し、最冷部を形成したとしても、点灯中の温度上昇を抑制できなくなるおそれがある。したがって、蛍光ランプの電力は、３０〜１２０Ｗとする必要がある。
【００２４】
例えば、電力３０Ｗで、一般の１００Ｗ白熱電球に相当する２１００ｌｍの全光束が得られ、電力５０Ｗで、同じく１５０Ｗ白熱電球に相当する２５００ルーメンの全光束が得られる。
【００２５】
請求項２記載の蛍光ランプによれば、請求項１に記載の作用に加え、比較的放電路長が長く、ランプ入力電力が３０〜１２０Ｗであるランプであっても、十分非放電空間を確保しているので、蛍光ランプからの光量が多く、始動電圧の過度な上昇を伴わずに、出力光を増加させることが可能となる。
【００２６】
請求項３記載の蛍光ランプは、請求項１または２記載の蛍光ランプの複数の連結管のうちカバー側に位置する少なくとも一の連結管から発光管のカバー側端部までの距離をＨ（ｍｍ）としたとき、ランプ電力が３０〜８０Ｗである場合、ランプ電力×０．７≦Ｈ≦ランプ電力×０．８であり、ランプ電力が８０Ｗを超える場合、ランプ電力×０．４≦Ｈ≦ランプ電力×０．７であることを特徴とするものである。
【００２７】
発明者らは実験により、カバー体側に位置するバルブ端部から連結管までの距離を上述のようにランプ電力との関係式により求めることで、バルブ径が細く比較的管壁負荷の高い蛍光ランプや、入力電力が大きく点灯中比較的高温となるようなランプであっても、最冷部の温度を適切に保つことが可能となる。
【００２８】
請求項３記載の蛍光ランプは、請求項１または２記載の作用に加え、必要以上に非放電空間を大きく形成することを抑制できるとともに、確実に最冷部を形成できることができる。
【００２９】
請求項４記載の電球形蛍光ランプは、カバー体の電気接続部がねじ込み式の口金である請求項１ないし３いずれか一記載の蛍光ランプと；蛍光ランプを点灯させる点灯回路を構成する複数の電子部品および、この電子部品が両面に実装された回路基板を有し、カバー体内に収容された点灯装置と；を具備していることを特徴とするものである。
【００３０】
請求項４記載の電球形蛍光ランプによれば、請求項１ないし３いずれか一記載の発明の作用を有する蛍光ランプを備えた電球形蛍光ランプを提供することができる。
【００３１】
請求項５記載の照明器具は、請求項１ないし４いずれか一記載の電球形蛍光ランプと；この電球形蛍光ランプが装着された器具本体と；を具備しているものである。
【００３２】
請求項５記載の照明器具によれば、請求項１ないし４いずれか一記載の発明の作用を有する電球形蛍光ランプを備えた照明器具を提供することができる。
【００３３】
【発明の実施の形態】以下、本発明の実施の形態を図面を参照して説明する。
【００３４】
図１は、本発明の実施の形態における定格電力４２Ｗのコンパクト形蛍光ランプＬ１を示す正面図、図２は図１のコンパクト蛍光ランプのＬ１上面図、図３は、図１のコンパクト蛍光ランプＬ１の発光管１０展開図である。
【００３５】
図１に示すコンパクト形蛍光ランプＬ１は、ガラス製の発光管１０と、この発光管１０の端部に設けられた樹脂製の口金２０とを備えている。
【００３６】
発光管１０は、管外径１２．３ｍｍの２本の直管バルブ端部の先端近傍をＨ字状に繋ぎ合わせて屈曲バルブ１１，１２，１３，１４端部近傍を連結管１５，１６，１７により４本連結させ、１本の屈曲した放電路が形成されている。なお、４つのＨ字形の屈曲バルブ１１，１２，１３，１４を連結管１５，１６，１７により連結された発光管１１，１２，１３，１４のうち、電極を有さない中間に位置する屈曲バルブ１２，１３同士を連結する連結管１６は、これを除く連結管１５，１７よりもバルブ端部１１ｂ，１２ｂ，１３ｂ，１４ｂから先端屈曲部１１ａ，１２ａ，１３，１４ａ寄りに距離が大きくなるよう形成されている。すなわち、この中間に位置する屈曲バルブ１２，１３を互いに連結している連結管１６近傍に積極的に最冷部を形成することで、発光管１０内の水銀蒸気圧を制御する。
【００３７】
発光管１０の両端部には、フィラメントコイルからなる電極３０が形成されている。また、発光管１０の内面には、図示しない保護膜と蛍光体が塗布されているとともに、内部には、後述する水銀媒体と希ガスなどが所定量封入されている。なお、水銀媒体としての後述するアマルガム４０は、発光管１０内と連通するよう少なくとも一のバルブ端部１３ｂに封着された細管１８内に封入されている。
【００３８】
アマルガム４０は、アマルガム４０温度が２５℃の時に０．６Ｐａの水銀蒸気圧を有するＢｉ−Ｓｎ−Ｈｇからなり、バルブ端部１３ｂに封着された細管１８内に封入されている。なお、本実施の形態において水銀媒体としてＢｉ−Ｓｎ−Ｈｇからなるアマルガム４０を使用しているが、最冷部温度、入力電力などにより点灯中の管内の蒸気圧を最適に制御可能であれば、特に限定されない。
【００３９】
電極３０および細管１８が封着されたバルブ端部１１ｂ，１３ｂ，１４ｂ側を図示しないシリコーン樹脂などによりカバー体２０に接着することでコンパクト形蛍光ランプＬ１が組み立てられる。
【００４０】
本実施形態のコンパクト形蛍光ランプＬ１のランプ電圧は２００Ｖ、発光管１０からの光出力は全光束約２４００ｌｍとなっている。
【００４１】
本実施の形態において、カバー体２０側に形成された少なくとも一の連結管１６に積極的に最冷部を形成することにより、水銀蒸気圧の高いアマルガム４０の使用が可能となり、常温時においても発光管１０内の水銀蒸気圧を比較的高くでき、光束立ち上がり特性を向上することができる。
【００４２】
次に、定格点灯の８０％の全光束に達するまでの立ち上がり特性、周囲温度と相対光束比の関係、鉛直下方向の配光特性を本実施形態および比較例を比較点灯させた。なお、測定の条件は１００Ｖ商用交流電源による点灯、周囲温度を２５℃とした。
【００４３】
比較例１は、本実施の形態と同様の８本の直管バルブを連結させたものであり、バルブ先端屈曲側に最冷部を形成したもの、比較例２は、一対の電極のうち、一方の電極を封装した端部に最冷部を形成したものである。なお、比較例１および２内に封入したアマルガムは、本実施の形態と同様のものを封入している。
【００４４】
まず、光束立上り特性を測定した。点灯後８０％の全光束に達するまでの立上り特性は、口金上側点灯、口金下側点灯においても、本実施の形態、比較例１および２とも良好であった。これは、それぞれのランプにおいて、積極的に最冷部を形成しているため、比較的蒸気圧の高いアマルガムの封入が可能となり、消灯中の管内の水銀蒸気圧が高い状態に保たれているからと思われる。
【００４５】
次に周囲温度と相対光束比の関係および、配光特性を比較した。口金上側点灯においては、本実施の形態および比較例１の電球形蛍光ランプは、周囲温度２０℃〜４０℃で最大光束を得ることができるのに対し、比較例２は、周囲温度２０℃〜２５℃において相対光束が最大となり、周囲温度２５℃を超えると光束は急激に低下した。
【００４６】
口金下側点灯においては、本実施の形態および比較例２の電球形蛍光ランプは、周囲温度１５〜２０℃において相対光束が最大となるのに対し、比較例１は、周囲温度２５〜３０℃において最大光束となる。これは、口金を上側に点灯時には、点灯とともに高温となる蛍光ランプの熱が口金側に対流しながら上昇するため、最冷部形成個所が点灯中上側に位置した部分に最冷部が位置してしまうとその熱影響を受け最冷部が不安定となり光束が低下する結果となる。
【００４７】
配光特性は、口金下側点灯の場合、本実施の形態および比較例ともに大きな差異は見られないが、口金上側点灯における配光特性は、最冷部が発光管先端部に形成された比較例１の中心部分の特性が悪い結果となった。
【００４８】
以上のように本実施の形態において、口金上側および下側点灯させた場合においても、ランプ入力電力に対して少なくとも一の連結管１６を先端屈曲部１２ａ，１３ａ寄りに離間する寸法を規制しているので、安定点灯時高温となるような高出力のランプであっても、電極３０から最も離間した連結管１６に確実に最冷部を形成可能となる。したがって、水銀蒸気圧の比較的高いアマルガムの封入が可能になるので光束立上り特性が良好であり、点灯方向を変化させても点灯が安定する。さらに、口金上側点灯においても、配光特性も良好である。
【００４９】
図４は、本発明第２の実施の形態をとしての電球形蛍光ランプＬ２を示す正面図、図５は図４の電球形蛍光ランプＬ２の上面図、図６は図４の電球形蛍光ランプＬ２の発光管１０展開図である。
【００５０】
図において図１ないし図３と同一部分については同一符号を付して説明する。
【００５１】
電球形蛍光ランプＬ２は、１本の放電路を有する発光管１０と、発光管１０を点灯させるための図示しない点灯装置を収納し、一端に口金５０が装着されたカバー体２０より構成されている。なお、口金５０側を上側、他端側つまり発光管１０側を下側として説明する。
【００５２】
カバー体２０は、例えばポリブチレンテレフタレート（ＰＢＴ）などの白色の耐熱性合成樹脂などにて、発光管１０側の下方に拡開する略円筒状に形成されている。
【００５３】
また、口金５０は、エジソンタイプのＥ２６型で、点灯回路との配線後にカバー体２０の上端部に被せられ、接着剤またはかしめなどにより固定されている。
【００５４】
また、仕切体２１は、カバー体２０の下端の開口部に取り付けられるもので、例えばポリブチレンテレフタレート（ＰＢＴ）などの耐熱性合成樹脂材料にて円板状に形成されている。仕切体２１には、発光管１０が挿通される図示しない複数の取付孔が形成され、これら取付孔に発光管１０を構成する屈曲バルブ１１，１２，１３，１４の端部１１ｂ，１２ｂ，１３ｂ，１４ｂが挿通された状態で例えばシリコーン樹脂などの接着剤で固定される。
【００５５】
また、この屈曲バルブ１１，１２，１３，１４の内面に例えば３波長形の蛍光体が形成され、屈曲バルブ１１，１２，１３，１４の内部にアルゴンなどの希ガスや水銀などを含む封入ガスが封入され、発光管１０の両端に一対の電極３０がピンチシールによって封装されている。なお、４本のバルブは、略円板上の仕切体２１上にＵ字形屈曲バルブ１１，１２，１３，１４がそのＵ字形をなす面が互いに平行に対向するように並設されて接続されている。
【００５６】
各Ｕ字形屈曲バルブ１１，１２，１３，１４は、湾曲する屈曲部１１ａ，１２ａ，１３ａ，１４ａと、この屈曲部１１ａ，１２ａ，１３ａ，１４ａに連続する互いに平行な一対の直管部とを備えている。中央に位置する２本の屈曲バルブ１２，１３の高さＨ１は３０〜４０ｍｍ、両側の屈曲バルブ１１，１４の高さＨ２は１０〜１５ｍｍ、かつＨ１＞Ｈ２の関係を有している。中央の屈曲バルブ１２，１３の高さＨ１および両端の屈曲バルブ１２，１３の高さＨ２は、バルブ封止端部から屈曲部の頂部までの長さを意味する。
【００５７】
なお、電極３０から最も離間したバルブ端部１２ｂ，１３ｂを連結する連結管１６は、バルブ端部から先端屈曲部に向けて３０ｍｍ、この連結管１６を除く連結管１５，１７はバルブ端部から１０ｍｍ程度離間している。
【００５８】
このように構成された電球形蛍光ランプＬ２は、放電路長が３８０〜４００ｍｍであり、ランプ電力３０〜４０Ｗで点灯したときの全光束が２５００ｌｍ以上となるように構成されている。この発光管１０を用いた電球形蛍光ランプは、コンパクトな外観であるとともに、放電路長を比較的に長く確保でき、さらに高出力でありながら、光束立上り特性が良く、鉛直方向の相対光束を改善することができる。
【００５９】
図７は、本発明の照明器具の一実施形態を示す側面断面図である。
図においてＬ２は電球形蛍光ランプである。５０は埋め込み形照明器具本体であり、器具本体５０は基体５１とソケット５２と反射板５３から構成されている。
【００６０】
【発明の効果】
請求項１記載の発明によれば、連結管で連結された直線部のうちの少なくとも一の連結管を形成する際、カバー体側バルブ端部と連結管を離間し、非放電空間を大きく形成しているので、点灯方向に限定されることなく確実に最冷部を形成することができる。したがって、点灯中最冷部により水銀蒸気圧を最適に制御することが可能となり、安定時のランプ効率および鉛直下面の配光特性が良好となる。
【００６１】
請求項２記載の発明によれば、請求項１に記載の作用に加え、比較的放電路長が長く、ランプ入力電力が３０〜１２０Ｗであるランプであっても、十分非放電空間を確保しているので、蛍光ランプからの光量が多く、始動電圧の過度な上昇を伴わずに、出力光を増加させることが可能となる。
【００６２】
請求項３記載の発明によれば、請求項１または２記載の作用に加え、必要以上に非放電空間を大きく形成することを抑制できるとともに、確実に最冷部を形成できることができる。
【００６３】
請求項４記載の発明によれば、請求項１ないし３いずれか一記載の発明の作用を有する蛍光ランプを備えた電球形蛍光ランプを提供することができる。
【００６４】
請求項５記載の発明によれば、請求項１ないし４いずれか一記載の発明の作用を有する電球形蛍光ランプを備えた照明器具を提供することができる。
【図面の簡単な説明】
【図１】本発明第一の実施形態であるコンパクト形蛍光ランプの正面図。
【図２】図１のコンパクト蛍光ランプの上面図。
【図３】図１のコンパクト蛍光ランプの発光管展開図。
【図４】本発明第二の実施形態である電球形蛍光ランプの正面図。
【図５】図４の電球形蛍光ランプの上面図。
【図６】図４の電球形蛍光ランプの発光管展開図。
【図７】本発明の照明器具の一実施形態を示す側面一部断面図。
【符号の説明】
１０…発光管、１６…連結管、２０…口金、１８…細管、３０…電極、
４０…アマルガム
【図１】
2004335130.tif 000003
【図２】
2004335130.tif 000004
【図３】
2004335130.tif 000005
【図４】
2004335130.tif 000006
【図５】
2004335130.tif 000007
【図６】
2004335130.tif 000008
【図７】
2004335130.tif 000009